(57)【要約】【課題】  新しい機器や機能を導入した場合の看護時間の変化を、簡単な操作で自動的に提示できるようにする。【解決手段】  医療従事者が看護を開始した看護開始時間と看護を終了した看護終了時間とを記憶部３に記録しておき、新しい機器や機能が導入された場合に導入開始操作部４を操作させ、調査期間が終了した場合に調査終了操作部５を操作させるようにしている。看護時間演算部１ｂは、その期間を第一の期間とし、記憶部３を参照して第一の期間における看護時間の合計を取得し、導入開始操作部４の操作の時点から第一の期間を遡った第二の期間における看護時間の合計を記憶部３から取得して、制御部１は、第一の期間における看護時間の合計と第二の期間における看護時間の合計とを提示部６に提示している。これにより、簡単な操作で導入前後の看護時間が自動的に提示され、導入後に看護時間が増加している場合に、導入のメリットを明確化することができる。【選択図】  図１
2010262371.tif 000002
【特許請求の範囲】
【請求項１】
医療従事者が患者に対して看護を開始したことを検出するとともに、前記医療従事者が前記患者に対して看護を終了したことを検出する看護検出部と、
現在時刻情報を出力する時計部と、
看護を開始した時刻である看護開始時間情報および看護を終了した時刻である看護終了時間情報を看護毎に記憶する記憶部と、
前記看護検出部が前記看護の開始を検出した場合に前記時計部から現在時刻情報を取得して看護開始時間情報として前記記憶部に記録するとともに、前記看護検出部が前記看護の終了を検出した場合に前記時計部から現在時刻情報を取得して看護終了時間情報として前記記憶部に記録する看護記録部と、
新しい機器や新しい機能が導入された場合に操作される導入開始操作部と、
前記新しい機器や新しい機能が導入されたメリットの調査が終了した場合に操作される調査終了操作部と、
前記導入開始操作部が操作された場合および前記調査終了操作部が操作された場合に前記時計部から現在時刻情報を取得して、取得した現在時刻情報により前記導入開始操作部が操作されてから前記調査終了操作部が操作されるまでの期間を求めて第一の期間とし、前記記憶部を参照して前記第一の期間に該当する看護開始時間情報および看護終了時間情報を抽出して導入後の看護時間の合計を演算するとともに、前記導入開始操作部が操作された時点から前記第一の期間だけ遡った期間を第二の期間とし、前記第二の期間に該当する看護開始時間情報および看護終了時間情報を抽出して導入前の看護時間の合計を演算する看護時間演算部と、
前記看護時間演算部により得られた前記導入前の看護時間と前記導入後の看護時間とを提示する提示部と、
を備えたことを特徴とする看護支援システム。
【発明の詳細な説明】
【技術分野】
【０００１】
本発明は、病院や介護施設などで看護師や介護者が看護や介護の記録を行うための看護支援システムに関する。
【背景技術】
【０００２】
従来、病院に入院している患者の看護を行う看護師や、福祉施設に入居している被介護者などの介護を行う介護者の業務効率を向上させるために、看護師や介護者（以下、まとめて医療従事者と記載する）の支援を行う看護支援システムが知られている。看護支援システムとしては、医療従事者によって携行される携帯情報端末を電子カルテシステムのサーバにアクセス可能とし、携帯情報端末によって患者情報や看護情報、医療情報などの各種情報を取得したり、前述した各種情報を記録したり、前述した各種情報を印刷したりするものがある。また、患者や被介護者（以下、まとめて患者と記載する）の近辺（例えば、ベッド近傍など）に設置されたナースコール子機と医療従事者の居る部屋などに設置されたナースコール親機とを有線や無線などにより接続し、相互に呼び出しや通話を可能としたナースコールシステムも看護支援システムとして用いられている。
【０００３】
これらの看護支援システムが病院や福祉施設（以下、まとめて病院と記載する）に導入された場合、看護支援システムを販売した側である販売会社は、導入された看護支援システムにより医療従事者の業務効率が向上したことをデータとして提示することで、看護支援システムを導入したことによるメリットを、看護支援システムを導入した側である病院の関係者に明確に説明することができる。また、販売会社は、前述したデータを他の病院に提示することで、看護支援システムを導入したことによるメリットを説明することができる。そのため、販売を促進することが可能である。ここで、業務効率の向上をデータとして提示する場合、医療従事者が患者の近くに居る時間（換言すると、患者の看護を行っている時間）が増えたことをデータとして提示することが有効である。
【０００４】
ところで、医療従事者が携行する端末にＩＣ（Integrated Circuit）カードリーダを搭載し、訪問介護先に保管されているＩＣカードを読み取ることで、端末が介護開始時間を記録し、介護終了時に医療従事者が端末の介護終了ボタンを押下することで、端末が介護終了時間を記録する技術が知られている（例えば、特許文献１など）。また、患者が居る病室の出入口などに非接触式のＩＣカードリーダを設置し、ＩＣカードを携行した医療従事者の病室への入退室時にＩＣカードを読み取ることで、看護開始時間および看護終了時間を記録する技術も知られている。ここで、これらの公知技術を用いて、看護開始時間と看護終了時間との差分を演算することで、医療従事者が患者の看護を行っている時間を記録することが可能となる。
【０００５】
しかしながら、上述した特許文献１を含む公知資料を利用することにより、それぞれの看護の時間を記録することは可能であるが、看護支援システムの新しい機器や新しい機能を導入した場合の看護の時間の変化を調べるためには、導入前の一定期間の看護の時間の合計と導入後の一定期間の看護の時間の合計とを比較しなければならず、これらの集計をいちいち行わなければならないという問題があった。
【先行技術文献】
【特許文献】
【０００６】
【特許文献１】特開２０００−９９５８６号公報
【発明の概要】
【発明が解決しようとする課題】
【０００７】
本発明は、このような問題を解決するために成されたものであり、看護支援システムの新しい機器や新しい機能を導入した場合の看護時間の合計の変化を、簡単な操作で自動的に提示できるようにすることを目的とする。
【課題を解決するための手段】
【０００８】
上述した課題を解決するために、本発明では、医療従事者が看護を開始した看護開始時間と看護を終了した看護終了時間とを看護毎に記録しておき、新しい機器や新しい機能が導入された場合に導入開始の操作を行い、導入によるメリットの調査期間が終了した場合に調査終了の操作を行うようにしている。そして、導入開始の操作から調査終了の操作までの第一の期間における看護開始時間と看護終了時間との組み合わせにより得られる看護毎の看護時間の合計を取得し、導入開始の操作時点から第一の期間を遡った第二の期間における看護時間と看護終了時間との組み合わせにより得られる看護毎の看護時間の合計を取得して提示するようにしている。
【発明の効果】
【０００９】
上記のように構成した本発明によれば、看護支援システムの新しい機器や新しい機能が導入された場合に導入開始の操作を行い、導入によるメリットの調査期間が終了した場合に調査終了の操作を行うという簡単な操作だけで、導入前後の看護時間の合計が自動的にそれぞれ提示される。これにより、導入前後の看護時間の合計の変化を明確化することができる。従って、導入後に看護時間が増加している場合には、看護支援システムの新しい機器や新しい機能を販売した側は、新しい機器や新しい機能が導入されたことによってメリットがあったことを説明することができる。
【図面の簡単な説明】
【００１０】
【図１】本実施形態による看護支援システムの構成例を示すブロック図である。
【図２】本実施形態の看護支援システムにおける第一の期間および第二の期間の例を示す図である。
【図３】本実施形態の看護支援システムにおける導入前後の看護時間の提示例を示す図である。
【発明を実施するための形態】
【００１１】
以下、本発明の一実施形態を図面に基づいて説明する。図１は、本実施形態による看護支援システムの構成例を示すブロック図である。図１に示すように、本実施形態による看護支援システムは、ＩＣカードＣと、読み取り部Ｒと（ＩＣカードＣと読み取り部Ｒとを合わせて、特許請求の範囲の看護検出部に該当する）、制御部１と、時計部２と、記憶部３と、導入開始操作部４と、調査終了操作部５と、提示部６とを備えて構成されている。また、制御部１は、看護記録部１ａおよび看護時間演算部１ｂとを備えて構成されている。
【００１２】
ＩＣカードＣと読み取り部Ｒとは、非接触で通信が可能であり、ＩＣカードＣが読み取り部Ｒの読み取り範囲に近付いた場合に、読み取り部Ｒは、ＩＣカードＣに電力を供給する。電力の供給を受けたＩＣカードＣは、内部に記憶されている識別情報を読み取り部Ｒへ送信する。読み取り部Ｒは、ＩＣカードＣから送信された識別情報を受信する。ここで、ＩＣカードＣは、医療従事者によって携行される。また、ＩＣカードＣの内部に記憶されている識別情報は、ＩＣカードＣ毎に異なり、ＩＣカードＣを携行する医療従事者を区別するために使用される。また、読み取り部Ｒは、患者が居る病室の出入口近傍などに設置されており、ＩＣカードＣを携行する医療従事者の病室への入退室を検出することができる。
【００１３】
本実施形態では、医療従事者が病室へ入室したタイミングを医療従事者が看護を開始したものとしており、医療従事者が病室から退室したタイミングを医療従事者が看護を終了したものとしている。また、本実施形態では、読み取り部ＲにてＩＣカードＣの識別情報を最初に読み取った場合に、医療従事者が病室へ入室したものとみなしており、読み取り部Ｒにて同一のＩＣカードＣの識別情報を二度目に読み取った場合に、医療従事者が病室から退室したものとみなしている。また、読み取り部Ｒが同一のＩＣカードＣから識別情報を二度読み取った場合には、読み取った回数はリセットされる。そのため、次に同一のＩＣカードＣの識別情報を読み取り部Ｒが読み取った場合には、読み取り部Ｒは、そのＩＣカードＣの識別情報を最初に読み取ったものとする。
【００１４】
制御部１は、看護支援システムの各構成要素を後述するように制御するためのものであり、ＣＰＵ（Central Processing Unit）などにより構成されている。時計部２は、現在時刻を計測しており、計測した現在時刻を現在時刻情報として出力する。記憶部３は、メモリやハードディスクドライブなどの記憶装置により構成されており、看護を開始した時刻である看護開始時間情報と看護を終了した時刻である看護終了時間情報とを看護毎に関連付けて記憶している。ここで、読み取り部ＲがＩＣカードＣから最初に識別情報を読み取った場合に、制御部１の看護記録部１ａは、時計部２から現在時刻情報を取得して、看護開始時間情報として記憶部３に記録する。また、読み取り部Ｒが同一のＩＣカードＣから二度目に識別情報を読み取った場合に、看護記録部１ａは、時計部２から現在時刻情報を取得して、看護終了時間情報として記憶部３に記録する。
【００１５】
このように、医療従事者が携行するＩＣカードＣを読み取り部Ｒが読み取る度に、看護開始時間情報や看護終了時間情報が看護記録部１ａによって記憶部３に記録される。例えば、図２に示すように、看護開始時間情報および看護終了時間情報は、看護毎に番号（Ｎｏ．）を付されて記憶部３に記憶されている。
【００１６】
導入開始操作部４は、看護支援システムに新しい機器を導入したり、新しい機能を導入したりした場合に操作される。また、看護支援システムの新しい機器や新しい機能だけではなく、看護や介護の業務効率を向上させるための各種機器の導入時などにも導入開始操作部４は操作される。また、導入開始操作部４は、押しボタンなどにより構成されており、新しい機器や新しい機能を導入した場合のメリットを調査する担当者などにより操作される。
【００１７】
調査終了操作部５は、看護支援システムに新しい機器や新しい機能を導入した場合のメリットの調査を終了する場合に担当者などにより操作されるものであり、押しボタンなどにより構成されている。なお、本実施形態では、導入開始操作部４と調査終了操作部５とを別々に設けているが、これに限定されない。例えば、導入開始操作部４と調査終了操作部５とを同一の押しボタンで構成し、最初に操作された場合には導入開始操作部４として押しボタンを機能させ、二度目に操作された場合には調査終了操作部５として押しボタンを機能させるようにしても良い。また、本実施形態では、導入開始操作部４および調査終了操作部５を押しボタンにより構成しているが、これに限定されない。例えば、タッチパネルディスプレイや表示ディスプレイに表示される押しボタンであっても良い。
【００１８】
制御部１の看護時間演算部１ｂは、導入開始操作部４が操作された場合に、時計部２から現在時刻情報を取得する。また、看護時間演算部１ｂは、調査終了操作部５が操作された場合に、時計部２から現在時刻情報を取得する。そして、看護時間演算部１ｂは、導入開始操作部４が操作されてから調査終了操作部５が操作されるまでの期間を第一の期間として記憶部３を参照し、第一の期間に該当する看護開始時間情報および看護終了時間情報を抽出する。また、看護時間演算部１ｂは、抽出した看護終了時間情報から看護開始時間情報を減算することで、その看護における看護時間を演算する。ここで、看護時間演算部１ｂは、抽出した全ての看護について演算を行い、看護時間を加算して第一の期間における看護時間の合計を演算する。
【００１９】
また、看護時間演算部１ｂは、導入開始操作部４が操作された時点から第一の期間だけ遡った期間を第二の期間として記憶部３を参照し、第二の期間に該当する看護開始時間情報および看護終了時間情報を抽出する。また、看護時間演算部１ｂは、抽出した看護終了時間情報から看護開始時間情報を減算することで、その看護における看護時間を演算する。ここで、看護時間演算部１ｂは、抽出した全ての看護について演算を行い、看護時間を加算して第二の期間における看護時間の合計を演算する。
【００２０】
例えば、図２に示すように、看護毎に番号が付されており、Ｎｏ．０９８の看護が終了してからＮｏ．０９９の看護が開始されるまでの２００９年４月５日７時の時点で導入開始操作部４が操作されたとする。また、Ｎｏ．２２０の看護が終了してからＮｏ．２２１の看護が開始されるまでの２００９年４月９日７時の時点で調査終了操作部５が操作されたとする。すると、看護時間演算部１ｂは、２００９年４月５日７時から２００９年４月９日７時までの４日間を第一の期間とする。そして、看護時間演算部１ｂは、２００９年４月５日７時から第一の期間だけ遡った２００９年４月１日７時を特定し、そこから２００９年４月５日７時までの４日間を第二の期間とする。
【００２１】
そして、第一の期間に該当する看護時間の合計と第二の期間に該当する看護時間の合計とを演算する。この結果、例えば、第一の期間における看護時間の合計が１２０時間５８分であるとの結果が得られ、第二の期間における看護時間の合計が８６時間２５分であるとの結果が得られたものとする。ここで、看護時間演算部１ｂは、調査終了操作部５が操作された時点で上述した演算を行っても良いし、図示しない演算開始ボタンを操作した時点で上述した演算を行うようにしても良い。
【００２２】
提示部６は、表示ディスプレイなどにより構成されており、看護時間演算部１ｂの結果を第一の期間における看護時間の合計と第二の期間における看護時間の合計とを比較できるように表示する。図３は、本実施形態の看護支援システムにおける導入前後の看護時間の提示例を示す図である。同図によれば、制御部１は、看護支援システムに新しい機器や新しい機能を導入する前の看護時間の合計（第二の期間である８６時間２５分）と看護支援システムに新しい機器や新しい機能を導入した後の看護時間の合計（第一の期間である１２０時間５８分）とを提示部６に並べて表示している。また、同図には、日毎の看護時間の合計も棒グラフで表示されている。ここで、看護支援システムに新しい機器や新しい機能を導入した前後の看護時間の合計を制御部１が提示部６に提示するタイミングは、看護時間演算部１ｂによる演算結果が出た時点でも良いし、図示しない提示ボタンを操作した時点でも良い。
【００２３】
以上詳しく説明したように、本実施形態によれば、医療従事者が看護を開始した看護開始時間と看護を終了した看護終了時間とを看護検出部（ＩＣカードＣおよび読み取り部Ｒ）を用いて記録しておき、看護支援システムに新しい機器や新しい機能を導入した場合に導入開始操作部４を操作し、新しい機器や新しい機能を導入したメリットの調査を終了したい場合に調査終了操作部５を操作するようにしている。そして、看護時間演算部１ｂは、導入開始操作部４が操作された場合および調査終了操作部５が操作された場合に時計部２から現在時刻情報を取得して、取得した現在時刻情報により導入開始操作部４が操作されてから調査終了操作部５が操作されるまでの期間を求めて第一の期間としている。また、看護時間演算部１ｂは、記憶部３を参照して、第一の期間に該当する看護（看護開始時間と看護終了時間とを一組としたもの）を抽出して看護時間の合計を演算している。また、看護時間演算部１ｂは、導入開始操作部４が操作された時点から第一の期間だけ遡った期間を第二の期間とし、記憶部３を参照して、第二の期間に該当する看護を抽出して看護時間の合計を演算している。そして、制御部１は、看護時間演算部１ｂにより得られた第一の期間における看護時間の合計と第二の期間における看護時間の合計とを提示部６に提示している。
【００２４】
これにより、看護支援システムの新しい機器や新しい機能が導入された場合に導入開始操作部４を操作し、調査期間が終了した場合に調査終了操作部５を操作するという簡単な操作だけで、導入前後の看護時間が自動的に提示される。これにより、導入後に看護時間が増加している場合には、看護支援システムの新しい機器や新しい機能を販売した側は、新しい機器や新しい機能が導入されたことによってメリットがあったことを説明することができる。また、看護支援システムの新しい機器や新しい機能を導入した側は、新しい機器や新しい機能が業務効率の向上に効果があったことを把握できる。
【００２５】
なお、前述した実施形態では、看護検出部としてＩＣカードＣと読み取り部Ｒとを組み合わせて実現しているが、これに限定されない。例えば、医療従事者が入室するときに入室ボタンを押下することで看護開始時間を取得し、医療従事者が退室するときに退室ボタンを押下することで看護終了時間を取得するようにしても良い。
【００２６】
また、前述した実施形態では、ＩＣカードＣを医療従事者に携行させ、読み取り部Ｒを病室に設置しているが、これに限定されない。例えば、読み取り部Ｒを医療従事者に携行させ、ＩＣカードＣを病室に設置するようにしても良い。
【００２７】
また、前述した実施形態では、制御部１が看護時間の合計を提示部６に表示することで、看護支援システムの新しい機器や新しい機能を導入したメリットを説明させるようにしているが、これに限定されない。例えば、第一の期間における看護時間の合計が第二の期間における看護時間の合計よりも大きい場合に、導入のメリットがあることを単純に提示するようにしても良い。
【００２８】
また、前述した実施形態では、看護開始時間および看護終了時間のみを関連付けて記憶部３に記録するようにしているが、これに限定されない。例えば、患者情報や看護内容、担当医療従事者情報などの情報を関連付けて記憶するようにしても良い。
【００２９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３０】
１    制御部
１ａ    看護記録部
１ｂ    看護時間演算部
２    時計部
３    記憶部
４    導入開始操作部
５    調査終了操作部
Ｃ    ＩＣカード
Ｒ    読み取り部
【図１】
2010262371.tif 000003
【図２】
2010262371.tif 000004
【図３】
2010262371.tif 000005